(57)【特許請求の範囲】
【請求項１】
視認側に設けられる光透過性の表示板基体と、該表示板基体の背面側に配置されるソーラーセルとを備えた表示板であって、
前記表示板基体は反射型偏光板を含み、
前記表示板基体の前記視認側の表面が、前記表面にＵＶ反射層を含む被覆層またはＵＶ吸収層を含む被覆層を施した後、熱転写加工またはプレス加工により、凹凸状の模様を形成した模様表面を有することを特徴とする表示板。
【請求項２】
前記模様表面が、少なくとも一方の表面に予め模様を形成した表示板基体の表面に被覆層を施した後、前記予め形成した模様の上から、前記熱転写加工または前記プレス加工により、凹凸状の模様を形成した模様表面であることを特徴とする請求項１に記載の表示板。
【請求項３】
前記予め形成した模様と、前記熱転写加工または前記プレス加工により形成する模様とが同じ模様であることを特徴とする請求項２に記載の表示板。
【請求項４】
前記予め形成した模様と、前記熱転写加工または前記プレス加工により形成する模様とが異なる模様であることを特徴とする請求項２に記載の表示板。
【発明の詳細な説明】
【技術分野】
【０００１】
本発明は、時計用文字板、時計用見切板、計器用文字板等を含む表示板に関し、特に下面側にソーラーセルを備える表示板に関する。
【背景技術】
【０００２】
ソーラーセル（太陽電池）を備えた表示板は、受光した光を透過させて、その下面側に配設したソーラーセルに発電機能を起こさせるために光透過性が要求される。このためプラスチック、セラミック、ガラス等の透光性材料が使われる。特に、プラスチックは安価であること、成形や加工などが容易であること等から非常に多く使われている。
【０００３】
図２１は、一般的なソーラーセルを示す平面図である。
図２１に示したように、一般的なソーラーセルは４等分に分割された４面（Ａ１、Ａ２、Ａ３、Ａ４）に設けられていて、表示板の下面に配設される。そして、表示板を透過した透過光が４面（Ａ１、Ａ２、Ａ３、Ａ４）のそれぞれに均一量入射するのが最も発電効率を高める。このため、このソーラーセルの上面側に配設される表示板は、ソーラーセルの４面（Ａ１、Ａ２、Ａ３、Ａ４）に対応する部分、すなわち、１２−６時ラインと９−３時ラインで４等分割した４面がそれぞれ均一量の光を透過するよう設計することが必要とされている。
【０００４】
しかしながら、表示板の下面側に配設されるソーラーセルは、独特の濃紫色を示し、さらに、４等分割したところの十字線が材質の違いなどから非常に目立って見える。このために美観的にも良い感じを与えないので、この濃紫色を和らげたり、または、見えないようにするために、従来から表示板に様々の工夫が行われてきた。
【０００５】
以下、ソーラーセルを備えた表示板の従来例について図を参照して説明する。
図２２は、従来技術における表示板としてのソーラーセルを備えた時計用文字板の構造を示す部分拡大断面図、図２３は従来技術における表示板の構成部品で、複数の層が積層されてなる反射型偏光体を示す概略構成図である。
【０００６】
図２２に示したように、従来技術におけるソーラー時計用文字板１００は、基材１０１と、基材１０１の太陽電池１０９と対向する面側に設けられた反射型偏光体１０３と、基材１０１と反射型偏光体１０３との間に配された拡散層１０２とから構成されていて、基材１０１上に時字、装飾文字、マーク等を設けた構造になっている。
【０００７】
基材１０１は、アクリル樹脂、ポリカーボネイト樹脂等のプラスチック、ガラス等の光透過性材料からなっており、平板状の形状で厚さが３００〜６００μｍ程度のものが用いられている。また、太陽電池１０９の自色が透けて見えるのを防止するために、基材１０１上には塗装法、印刷法、湿式めっき法、乾式めっき法等による着色層が設けられる場合もある。この着色層は白色のものが好ましいことが開示されている。
【０００８】
拡散層１０２は、入射した光を拡散する機能を有する拡散剤を含む材料で構成されている。拡散層１０２を構成する拡散剤としては、例えば、粒状・（粉末状）、鱗片状、針状等の形状のもので、シリカ、ガラス、樹脂等が用いられ、粘着性、接着性を有する材料で構成されているものが開示されている。
【０００９】
反射型偏光体１０３は、入射した光を偏光させる機能を有し、所定方向に振動する第１の光を透過し、かつ、振動方向が第１の光の振動方向に対して垂直な第２の光を反射する
機能を有するものである。
【００１０】
図２３に示したように、反射型偏光体１０３は複数の層が積層された積層体で、異なる２種の層、すなわち、偏光性フイルム層（Ａ層）１３１と、偏光性フイルム層（Ｂ層）１３２とが交互に複数層積層された構造をなしている。
【００１１】
反射型偏光体１０３のＡ層１３１は、例えば、ポリエチレンナフタレートで横成されたフイルムを延伸したものが用いられ、Ｂ層１３２は、ナフタレンジカルボン酸とテレフタル酸とのコポリエステルで構成されたものが開示されている。
【００１２】
このように従来技術における表示板としてのソーラー時計用文字板１００は、光透過性の基材１０１、拡散層１０２と反射型偏光体１０３とを有することにより、光透過性を十分に高いものとしつつ、太陽電池１０９の自色が透けて見えるのを防止することができるとともに、装飾性を有することが開示されている（例えば、特許文献１参照）。
【００１３】
【特許文献１】国際公開第ＷＯ２００６／００６３９０号公報（第５―１１頁、図１３）
【発明の開示】
【発明が解決しようとする課題】
【００１４】
しかしながら、従来技術における表示板は、金属表示板と同様の金属感や、白さ、明るさのある鮮明な色彩は得られず、高級感のある外観品質を有する表示板を得ることが困難であった。特に、従来技術における表示板は、金属独特の金属感が得られず、デザインバリエーションに乏しいという問題があった。
さらに、従来技術における表示板は、紫外線や、可視光線によって、変色し、さらに、湿度などが加わり、耐候性に劣るという問題もあった。
【００１５】
本発明は、このような現状に鑑み、ソーラーセルの発電に充分な光量を供給し、ソーラーセルの十字線や濃紫色が目に見えないようにするとともに、装飾性に優れた表示板を提供することを目的とする。
【００１６】
また、本発明は、金属表示板と同様の金属感や、白さ、明るさのある鮮明な色彩が得られ、高級感のある外観品質を有する表示板を提供するとともに、表示板のデサインバリエーションの向上と薄型化を実現することを目的とする。
【００１７】
さらに、本発明は、上記表示板を、例えば、時計用の表示板、卓上計算機、自動車、飛行機の計器パネル、携帯電話などのモバイル機器などの機器類の表示板として用いた機器類を提供することを目的とする。
【課題を解決するための手段】
【００１８】
本発明は、前述したような従来技術における課題及び目的を達成するために発明されたものであって、本発明の表示板は、
視認側に設けられる表示板基体を備えた表示板であって、
前記表示板基体の少なくとも一方の表面が、前記表面に被覆層を施した後、凹凸状の模様を形成した模様表面を有することを特徴とする。
【００１９】
また、本発明の表示板の製造方法は、
視認側に設けられる表示板基体を備えた表示板の製造方法であって、
前記表示板基体の少なくとも一方の表面に被覆層を形成する被覆層形成工程と、
前記被覆層が形成された表面に、被覆層から表示板基体の表面にわたって、凹凸状の模
様を施して、模様表面を形成する模様形成工程と、
を含むことを特徴とする。
【００２０】
このように表示板基体の少なくとも一方の表面が、前記表面に被覆層を施した後、凹凸状の模様を形成した模様表面を有することによって、例えば、ソーラー駆動の腕時計などに用いた場合に、ソーラーセルの発電に充分な光量を供給し、ソーラーセルの十字線や濃紫色が目に見えないようにすることができ、しかも、デサインバリエーションの向上と薄型化を実現することができる。
【００２１】
また、金属表示板と同様の金属感や、白さが得られるとともに装飾性に優れ、高級感のある表示板を実現することができる。
さらに、表示板基体の少なくとも一方の表面が、被覆層で被覆されているので、紫外線や、可視光線によっても、変色することがなく、さらに湿度などが加わっても耐候性に優れている。特に、被覆層を表面側（視認側）に設けると、紫外線の影響を防止することができる。
【００２２】
しかも、予め模様を形成した表示板基体の表面に被覆層を施す場合には、この被覆層によって表面が平坦になったり、模様形状がぼやけるなどして、鮮明な模様が得られないが、本発明のように、模様表面が、表示板基体の少なくとも一方の表面に被覆層を施した後、凹凸状の模様を形成したものであれば、模様形状がぼやけることがなく、鮮明な模様が得られる。
【００２３】
また、本発明の表示板は、前記模様表面が、表示板基体の全面に、または、表示板基体の一部に形成されていることを特徴とする。
このように構成することによって、表示板基体の全面にわたって、金属表示板と同様の金属感や、白さが得られるとともに装飾性に優れ、高級感のある表示板を実現することができる。
【００２４】
また、このように構成することによって、表示板基体の一部に、金属表示板と同様の金属感や、白さが得られるとともに装飾性に優れ、高級感のある表示板を実現することができる。
【００２５】
また、本発明の表示板は、前記模様表面が、表示板基体の少なくとも一方の表面に被覆層を施した後、被覆層から表示板基体の表面にわたって、凹凸状の模様を形成した模様表面であることを特徴とする。
【００２６】
このように構成することによって、被覆層から表示板基体の表面にわたって、凹凸状の模様を施しているので、模様形状がぼやけることがなく、鮮明な模様が得られるとともに、奥行きのある立体的な凹凸模様の表現が可能となり、デサインバリエーションの向上を実現することができる。
【００２７】
また、本発明の表示板は、前記模様表面が、少なくとも一方の表面に予め模様を形成した表示板基体の表面に被覆層を施した後、凹凸状の模様を形成した模様表面であることを特徴とする。
【００２８】
このように構成することによって、表示板基体の表面に予め形成された模様と、表示板基体の表面に被覆層を施した後に形成された模様とによって、奥行きのある立体的な凹凸模様の表現が可能となるとともに、模様の種類が多くなり、デサインバリエーションの向上を実現することができる。
【００２９】
また、本発明の表示板は、前記模様表面が、表示板基体の表面に予め形成した模様と同じ模様、または、表示板基体の表面に予め形成した模様と異なる模様から形成されていることを特徴とする。
このように構成することによって、同じ模様である、表示板基体の表面に予め形成した模様と、表示板基体の表面に被覆層を施した後に形成された模様とが重なり合って、模様形状がぼやけることがなく、さらに鮮明な模様が得られるとともに、奥行きのある立体的な凹凸模様の表現が可能となり、デサインバリエーションの向上を実現することができる。
【００３０】
また、このように構成することによって、表示板基体の表面に予め形成した模様と、表示板基体の表面に被覆層を施した後に形成された模様とが重なり合って、奥行きのある立体的な凹凸模様の表現が可能となり、しかも、異なる模様が重なりあった部分では、斬新な模様を形成することになって、デサインバリエーションの向上を実現することができる。
【００３１】
また、本発明の表示板は、前記模様表面が、表示板基体の表面に予め形成した模様と同じ模様の部分と異なる模様の部分とから形成されていることを特徴とする。
このように構成することによって、同じ模様である、表示板基体の表面に予め形成した模様と、表示板基体の表面に被覆層を施した後に形成された模様とが重なり合って、模様形状がぼやけることがなく、さらに鮮明な模様が得られるとともに、奥行きのある立体的な凹凸模様の表現が可能となる。
【００３２】
また、異なる模様が重なりあった部分では、表示板基体の表面に予め形成した模様と、表示板基体の表面に被覆層を施した後に形成された模様とが重なり合って、奥行きのある立体的な凹凸模様の表現が可能となり、しかも、異なる模様が重なりあった部分では、斬新な模様を形成することになって、デサインバリエーションの向上を実現することができる。
【００３３】
また、本発明の表示板は、前記被覆層が、金属被覆層、金属酸化物被覆層、金属窒化物被覆層、樹脂被覆層から選択した１種以上の被覆層から形成されていることを特徴とする。
また、本発明の表示板は、前記金属被覆層が、金、銀、銅、アルミニウム、マグネシウム、亜鉛、チタンから選択した１種以上の金属、または、これらの金属から選択した２種以上の金属の合金から形成されていることを特徴とする。
また、本発明の表示板は、前記金属酸化物被覆層が、酸化ケイ素、酸化ジルコニウム、ニオブ酸化物酸化チタン、酸化鉄、酸化スズ、酸化シリコン、酸化アルミニウムから選択した少なくとも１種の金属酸化物から形成されていることを特徴とする。
また、本発明の表示板は、前記金属窒化物被覆層が、窒化ケイ素、窒化チタン、窒化ジルコニウムから選択した少なくとも１種の金属窒化物から形成されていることを特徴とする。
【００３４】
また、本発明の表示板は、前記樹脂被覆層が、ポリカーボネート樹脂、アクリル樹脂、ポリアセタール樹脂、ＡＢＳ樹脂、ポリエチレン樹脂、ポリプロピレン樹脂、ポリスチレン樹脂、ポリエチレンテレフタレート樹脂、アルキッド樹脂、塩化ビニール樹脂、ポリウレタン樹脂、ポリエステル樹脂、フッ素系樹脂からから選択した少なくとも１種の樹脂から形成されていることを特徴とする。
また、本発明の表示板は、前記樹脂被覆層が、印刷、スピンコート、塗装、または、ラミネート樹脂フィルムにより形成されていることを特徴とする。
【００３５】
また、本発明の表示板は、前記表示板基体の少なくとも一方の表面側に透過性基板を備
えることを特徴とする。
また、本発明の表示板は、前記透過性基板少なくとも一方の表面側に、凹凸部を有することを特徴とする。
また、本発明の表示板は、前記凹凸部が、プリズム形状であることを特徴とする。
【００３６】
また、本発明の表示板は、
前記表示板基体が、少なくとも１個の反射型偏光板を有し、
前記反射型偏光板の少なくとも一方の表面に、凹凸状の模様を有することを特徴とする。
このように反射型偏光板の少なくとも一方の表面に、凹凸状の模様を形成することによって、例えば、ソーラー駆動の腕時計などに用いた場合に、ソーラーセルの発電に充分な光量を供給し、ソーラーセルの十字線や濃紫色が目に見えないようにすることができる。しかも、デサインバリエーションの向上と薄型化を実現することができる。
【００３７】
また、金属表示板と同様の金属感や、白さが得られるとともに装飾性に優れ、高級感のある表示板を実現することができる。
また、本発明の表示板は、
前記表示板基体が、複数の反射型偏光板を有し、
前記複数の反射型偏光板のうち、最も視認側に配置されている反射型偏光板の少なくとも一方の表面に、凹凸状の模様を有することを特徴とする。
【００３８】
このように複数の反射型偏光板を備えることによって、ソーラーセルに供給する光量を容易に調整することができる。この結果、文字板に形成する金属色および白調色がより強く現れるように調整することが可能となる。
また、本発明の表示板は、前記複数の反射型偏光板が、それぞれの光透過容易軸の方向が互いに異なる方向となるように配置されていることを特徴とする。
【００３９】
このように複数の反射型偏光板を備え、それぞれの光透過容易軸の方向が互いに異なる方向となるように配置することによって、ソーラーセルに供給する光量を容易に調整することができる。この結果、文字板に形成する金属色および白調色がより強く現れるまでの調整が可能となる。
【００４０】
また、本発明の表示板は、前記反射型偏光板が、少なくとも一方の表面に、被覆層として、光透過性着色層、拡散層、ＵＶ反射層、または、ＵＶ吸収層を有することを特徴とする。
このように、反射型偏光板が、少なくとも一方の表面に、被覆層として、光透過性着色層、拡散層、ＵＶ反射層、または、ＵＶ吸収層を有するように構成することによって、反射型偏光板に光透過性着色層、拡散層、ＵＶ反射層、または、ＵＶ吸収層を設けることにより変色を防止し、白さを増し、より高級感のある表示板を得ることができる。
【００４１】
また、本発明の表示板は、前記透過性基板が、視認側と反対側に配置されていることを特徴とする。
このように構成することによって、透過性基板の透明層と、反射型偏光板の凹凸状の模様によって奥行きのある立体的な表現ができる。
【００４２】
この結果、金属表示板と同様の金属感を感じさせ、高級感のある表示板を得ることができる。また、ソーラーセルからの反射光が少なくなることにより、ソーラーセルの濃紫色や十字線は完全に消し去られて、視認されることがない。
【００４３】
また、本発明の表示板は、前記透過性基板が、視認側に配置されていることを特徴とす
る。
このように構成することによって、透過性基板の透明層を通して視認されることにより、反射型偏光板の凹凸状の模様が、奥行きのある立体的な表現として現れる。
この結果、金属表示板と同様の金属感を感じさせ、高級感のある表示板を得ることができる。また、ソーラーセルからの反射光が少なくなることにより、ソーラーセルの濃紫色や十字線は完全に消し去られて、視認されることがない。
【００４４】
また、本発明の表示板は、前記透過性基板が、少なくとも一方の表面に光透過性着色層、拡散層、ＵＶ反射層、または、ＵＶ吸収層を有することを特徴とする。
このように、透過性基板が、少なくとも一方の表面に光透過性着色層、拡散層、ＵＶ反射層、または、ＵＶ吸収層を有するように構成することによって、透過性基板に光透過性着色層、拡散層、ＵＶ反射層、または、ＵＶ吸収層を設けることにより変色を防止し、白さを増し、より高級感のある表示板を得ることができる。また、透過性基板に光透過性着色層を設けることにより、明るさのある鮮明な色彩を有する表示板を得ることができる。
【００４５】
また、本発明の表示板は、前記透過性基板が、着色剤、拡散剤、ＵＶ反射剤、または、ＵＶ吸収剤の内少なくとも一つを含有することを特徴とする。
このように透過性基板が、着色剤、拡散剤、ＵＶ反射剤、または、ＵＶ吸収剤の内少なくとも一つを含有することによって、透過性基板に含有された着色剤、拡散剤、ＵＶ反射剤、または、ＵＶ吸収剤の作用によって、透過性基板のカラー化、白さの向上、変色の防止、輝度の向上などのデザインのバリエーションを図れ、上記の模様との組み合わせによって、ソーラーセルの十字線や濃紫色が目に見えないようにすることができるとともに、デサインバリエーションの向上を実現することができる。
【００４６】
また、本発明の表示板は、前記透過性基板が、透明樹脂材料板、半透明カラー材料板、位相差板、複数の透過孔を有する金属板から選択した少なくとも１つの透過性基板から構成されていることを特徴とする。
【００４７】
このような部材から、透過性基板が構成されていることによって、上記の模様との組み合わせによって、凹凸模様を有する反射型偏光板との組み合わせより金属色や明るさのある鮮明な色彩を有する表示板を得ることができ、ソーラーセルの十字線や濃紫色が目に見えないようにすることができるとともに、デサインバリエーションの向上を実現することができる。
【００４８】
また、本発明の表示板は、上記のいずれかに記載の表示板の下面側にソーラー発電装置を備えることを特徴とする。
また、本発明の機器類は、前記表示板の下面側にアンテナを備えることを特徴とする。
また、本発明の機器類は、前記機器類が、時計であることを特徴とする。
【００４９】
このように構成することによって、例えば、時計用の表示板、卓上計算機、自動車、飛行機の計器パネル、携帯電話などのモバイル機器などの機器類の表示板として用いた場合に、特に、ソーラー駆動の腕時計などに用いた場合に、ソーラーセルの発電に充分な光量を供給し、ソーラーセルの十字線や濃紫色が目に見えないようにすることができる。しかも、奥行きのある立体的な凹凸模様の表現が可能となるなど、デサインバリエーションの向上と薄型化を実現することができる。
また、金属表示板と同様の金属感や、白さが得られるとともに装飾性に優れ、高級感のある表示板を備えた機器類を提供することができる。
【発明の効果】
【００５０】
本発明によれば、表示板基体の少なくとも一方の表面が、前記表面に被覆層を施した後
、凹凸状の模様を形成した模様表面を有することによって、例えば、ソーラー駆動の腕時計などに用いた場合に、ソーラーセルの発電に充分な光量を供給し、ソーラーセルの十字線や濃紫色が目に見えないようにすることができ、しかも、デサインバリエーションの向上と薄型化を実現することができる。
【００５１】
また、金属表示板と同様の金属感や、白さが得られるとともに装飾性に優れ、高級感のある表示板を実現することができる。
さらに、表示板基体の少なくとも一方の表面が、被覆層で被覆されているので、紫外線や、可視光線によっても、変色することがなく、耐光性に優れている。
【００５２】
しかも、予め模様を形成した表示板基体の表面に被覆層を施す場合には、この被覆層によって表面が平坦になったり、模様形状がぼやけるなどして、鮮明な模様が得られないが、本発明のように、模様表面が、表示板基体の少なくとも一方の表面に被覆層を施した後、凹凸状の模様を形成したものであれば、模様形状がぼやけることがなく、鮮明な模様が得られる。
【００５３】
また、本発明によれば、被覆層から表示板基体の表面にわたって、凹凸状の模様を施しているので、模様形状がぼやけることがなく、鮮明な模様が得られるとともに、奥行きのある立体的な凹凸模様の表現が可能となり、デサインバリエーションの向上を実現することができる。
【００５４】
さらに、本発明によれば、表示板基体の表面に予め形成された模様と、表示板基体の表面に被覆層を施した後に形成された模様とによって、奥行きのある立体的な凹凸模様の表現が可能となるとともに、模様の種類が多くなり、デサインバリエーションの向上を実現することができる。
【００５５】
また、本発明によれば、反射型偏光板の表面に凹凸状の模様を形成することによって、例えば、ソーラー駆動の腕時計などに用いた場合に、ソーラーセルの発電に充分な光量を供給し、ソーラーセルの十字線や濃紫色が目に見えないようにするとともにデサインバリエーションの向上と薄型化を実現することができる。
【００５６】
また、金属表示板と同様の金属感や、白さが得られるとともに装飾性に優れ高級感のある表示板を実現することができる。
さらに、反射型偏光板に拡散層を設けることにより白さを増し、より高級感のある表示板を得ることができる。
【００５７】
また、反射型偏光板に光透過性着色層を設けることにより明るさのある鮮明な色彩を有する表示板を得ることができる。
また、複数の反射型偏光板を備え、それぞれの光透過容易軸の方向が互いに異なる方向となるように配置することによってソーラーセルに供給する光量を容易に調整することができる。この結果、文字板に形成する金属色および白色色調がより強く現れるように調整することが可能となる。
【００５８】
また、本発明によれば、本発明の表示板を、例えば、時計用の表示板、卓上計算機、自動車、飛行機の計器パネル、携帯電話などのモバイル機器などの機器類の表示板として用いた場合に、特に、ソーラー駆動の腕時計などに用いた場合に、ソーラーセルの発電に充分な光量を供給し、ソーラーセルの十字線や濃紫色が目に見えないようにすることができる。
【００５９】
しかも、奥行きのある立体的な凹凸模様の表現が可能となるなど、デサインバリエーシ
ョンの向上と薄型化を実現することができる。
また、金属表示板と同様の金属感や、白さが得られるとともに装飾性に優れ、高級感のある表示板を備えた機器類を提供することができる。
【発明を実施するための最良の形態】
【００６０】
以下、本発明の実施の形態（実施例）を図面に基づいてより詳細に説明する。
下記の実施例１〜実施例１２の表示板は、ソーラーセルと、このソーラーセルの視認側に設ける反射型偏光板とを備えており、この反射型偏光板の表面に凹凸状の模様を形成することによって、ソーラーセルの発電に充分な光量を供給し、ソーラーセルの十字線や濃紫色が目に見えないようにするとともに、装飾性に優れた薄型の表示板を実現したものである。さらに、金属表示板と同様の金属感や、白さ、明るさのある鮮明な色彩を有し高級感のある表示板を実現したものである。
なお、以下の各実施例において、同様な構成部材については、同一参照番号を付し、その詳細説明は省略する。
【００６１】
（実施例１）
図１は実施例１の表示板を示しており、図１（ａ）は、平面図、図１（ｂ）は、図１（ａ）のＡ−Ａ断面図である。図２は、反射型偏光板を示す斜視図、図３は表示板の光路図、図４は、表示板の製造工程を示す概略断面図である。
【００６２】
図１に示したように、実施例１の表示板は、反射型偏光板の視認側の表面に凹凸状の模様を形成し、その表面に光透過性着色層を設けたものである。
すなわち、符号１０は、全体で本発明の表示板１０を示している。この実施例１の表示板１０は、ソーラーセル１２と、このソーラーセル１２の視認側に設けられた表示板基体を構成する反射型偏光板１４とを備えている。
【００６３】
そして、反射型偏光板１４の視認側の表面には、サークル状の凹凸状の模様１６が形成されており、この凹凸状の模様１６の表面に、この模様１６と同じサークル状の凹凸状の模様１８を有する被覆層を形成する光透過性着色層２０が設けられている。これによって、光透過性着色層２０から反射型偏光板１４の表面にわたって、サークル状の凹凸状の模様２２が形成された模様表面が構成される。
【００６４】
さらに、この光透過性着色層２０の視認側に表面に、さらに時字２４やマーク等が取り付けられている。
また、反射型偏光板１４とソーラーセル１２とは、互いの表面の外周部が粘着材または光拡散性を有する粘着剤（例えば、光拡散剤を含む基材入りの両面テープなど）や、接着剤等の固定部材２６で固定されている。
なお、反射型偏光板１４とソーラーセル１２とは、固定部材２６を使用せずに、単に積層配置し時計用の中枠等で保持することもできる（以下の実施例においても同様である）。
【００６５】
また、反射型偏光板１４とソーラーセル１２との間、さらにこれらの部材と、後述する透過性基板の各部材間の全面を上記固定部材で固定してもよいことはもちろんである（これについても、以下の実施例においても同様である）。
【００６６】
なお、図１に示した実施例では、図示しないが、分針と時針を駆動する針軸を挿通する軸孔が、反射型偏光板１４にのみ形成されている図を示しているが、ソーラーセル１２にもその下方に配置されるムーブメントの針軸を挿通する軸孔が形成されているものであるが図においては便宜上、ソーラーセル１２の軸孔を省略して示している（以下の実施例においても、反射型偏光板、透過性基板、ソーラーセルの軸孔については同様である）。
【００６７】
反射型偏光板１４の材料としての反射型偏光板基材は、偏光性が異なる２種類のフィルムを交互に複数層積層した積層体が好ましく、この実施例においては、住友３Ｍ社製の商品名「ＤＢＥＦ」を用いた。
図２に示したように、「ＤＢＥＦ」からなる反射型偏光板基材１１は、光反射軸Ｎと光透過容易軸Ｍを有していて、光反射軸Ｎと平行な振動面を持つ直線偏光成分の光は、反射し、光透過容易軸Ｍと平行な振動面を持つ直線偏光成分の光は、透過する特性を持っている。また、約５０％の光を透過し、約５０％の光を反射する特性を持っている。
【００６８】
この反射型偏光板基材１１の厚さｔの値は、１３０〜４００μｍ程度のものが各種市販されており、必要に応じて選択可能である。
なお、反射型偏光板基材１１の表面に、例えば、エンボスのような凹凸形状を有するものを用いれば、ソーラーセル１２と反射型偏光板基材１１を配置した際に、干渉縞を防ぐことも可能である。
【００６９】
この実施例においては、厚さｔの値が、１６０μｍの反射型偏光板基材１１を用いた。
この実施例の表示板１０の製造方法は、図４に示したように製造すれば良い。
すなわち、先ず、図４（ａ）に示したように、表示板形状に打ち抜いた反射型偏光板１４を用意し、図４（ｂ）に示したように、この反射型偏光板１４の視認側の表面１４ａに、光透過性着色層２０を、例えば、印刷などによって形成する。
【００７０】
次に、図４（ｃ）に示したように、表面にサークル状の凹凸状の転写模様２８を有する熱転写用押し型（金型）３０を準備して、図４（ｃ）の矢印で示したように、反射型偏光板１４の視認側の表面１４ａに形成された光透過性着色層２０に加熱下で押圧する（図４（ｄ）参照）。
【００７１】
そして、図４（ｅ）の矢印で示したように、熱転写用押し型（金型）３０を反射型偏光板１４の視認側の表面１４ａに形成された光透過性着色層２０から離間する方向に移動させる。
これにより、図１、図４（ｅ）に示したように、反射型偏光板１４の視認側の表面のサークル状の凹凸状の模様１６と、この凹凸状の模様１６の表面の光透過性着色層２０において、この模様１６と同じサークル状の凹凸状の模様１８とが一体的に形成される。
【００７２】
これによって、光透過性着色層２０から反射型偏光板１４の表面にわたって、サークル状の凹凸状の模様２２が形成された模様表面が構成される。
なお、上記実施例では、予め表示板形状に打ち抜いた反射型偏光板１４を用いたが、例えば、多数個の表示板１０を一度で製造する場合には、多数個分の大きさの反射型偏光板１４を用いて、上記の製造工程を実施した後に、最後に、多数個の表示板形状に打ち抜いて製造するようにしても良い（以下の実施例においても同様である）。
【００７３】
この場合、表示板１０の表面に形成されているサークル状の凹凸状の模様２２は、凹部の深さや幅、凸部の幅などは目に視認できる程度の大きさに形成してあり、上面側からははっきりと模様が視認できる。
この熱転写による凹凸状の模様２２の幅ｂの値は、特に限定されるものではないが、４０〜６０μｍの範囲に設定することが好ましい。また、模様の深さｄの値についても適宜設定できるが、１０〜２０μｍの範囲に設定することが好ましい。
【００７４】
さらに、このサークル状の凹凸状の模様２２は、下からの反射光を屈折させて散乱させる作用もある。この結果、反射型偏光板１４の反射光によりサークル状の模様２２と金属感が明るく鮮明に視認されてくる。また、ソーラーセルの十字線や濃紫色は全く消し去ら
れて視認されなくなる。
【００７５】
また、光透過性着色層２０は、銅金属粉を透明なウレタン樹脂に混ぜ合わせてインク化し、印刷方法で形成している。そして、反射型偏光板１４の反射光と光透過性着色層２０との色とで全体的に金属表示板と同様の金属感が現れるように仕上げている。
なお、この場合、この光透過性着色層２０は、上記のように、金属粉を透明なウレタン樹脂に混ぜ合わせてインク化し、印刷方法で形成する代わりに、様々な光透過性着色層２０を用いることができ、何ら限定されるものではない。
【００７６】
例えば、白色顔料を樹脂に混ぜ合わせ印刷方法で形成することもできる。白色顔料を用いている理由は、表示板に白色感を出すためで、膜厚を厚くすると白さは出るが透過率が悪くなる。
従って、約７〜１０μｍ程度の薄い膜厚にしてこれによる透過率が約１０％程度低下する位にしてある。他の色を出したい場合は他の顔料を用いる。
【００７７】
また、例えば、熱ＣＶＤ、プラズマＣＶＤ、レーザーＣＶＤなどの化学蒸着法（ＣＶＤ）、真空蒸着、スパッタリング、またはイオンプレーティングなどのドライメッキ処理、溶射など、さらには、スピンコート、ディッピング、刷毛塗り、噴霧塗装、静電塗装、電着塗装等の塗装、電解めっき、浸漬めっき、無電解めっき等の湿式めっき法で、非常に薄い金属膜を形成しても良く、求める色に応じて適宜選択するのが好ましい。
【００７８】
この場合、被覆層を形成する光透過性着色層２０は、金属被覆層、金属酸化物被覆層、金属窒化物被覆層、樹脂被覆層から選択した１種以上の被覆層から形成することができる。
金属被覆層としては、特に限定されるものではないが、例えば、金、銀、銅、アルミニウム、マグネシウム、亜鉛、チタンから選択した１種以上の金属、または、これらの金属から選択した２種以上の金属の合金から形成することができる。
さらに、金属酸化物被覆層としては、特に限定されるものではないが、例えば、酸化ケイ素、酸化ジルコニウム、ニオブ酸化物酸化チタン、酸化鉄、酸化スズ、酸化シリコン、酸化アルミニウムから選択した少なくとも１種の金属酸化物から形成することができる。
また、金属窒化物被覆層としては、特に限定されるものではないが、例えば、窒化ケイ素、窒化チタン、窒化ジルコニウムから選択した少なくとも１種の金属窒化物から形成することができる。
【００７９】
また、樹脂被覆層としては、特に限定されるものではないが、例えば、ポリカーボネート樹脂、アクリル樹脂、ポリアセタール樹脂、ＡＢＳ樹脂、ポリエチレン樹脂、ポリプロピレン樹脂、ポリスチレン樹脂、ポリエチレンテレフタレート樹脂、アルキッド樹脂、塩化ビニール樹脂、ポリウレタン樹脂、ポリエステル樹脂、フッ素系樹脂からから選択した少なくとも１種の樹脂から形成することができる。
この場合、樹脂被覆層を形成する方法としては、特に限定されるものではないが、例えば、印刷、スピンコート、または、塗装により形成することができる。
また、樹脂被覆層としては、上記の樹脂被覆層に用いた樹脂からなるラミネート樹脂フィルムにより形成することもできる。
【００８０】
なお、光透過性着色層２０の代わりに、拡散層を設けても同様の白色感を得ることができる。拡散層は粘着剤や接着剤等に入射した光を拡散する機能を有する拡散剤を混入したもので、拡散剤の材料としては粒状、粉末状、鱗片状、針状等のシリカ、ガラス、樹脂等を用いることができる。
また、光透過性着色層２０の代わりに、ＵＶ反射層、ＵＶ吸収層を設けても同様の白色感と変色を防止する効果を得ることができる。
【００８１】
この場合、ＵＶ反射層としては、特に限定されるものではないが、例えば、酸化ケイ素、酸化チタン、窒化ケイ素のそれぞれ単層、または、これらの組み合わせによる多層のＵＶ反射層を用いることができる。
また、ＵＶ吸収層としては、特に限定されるものではないが、ＵＶ吸収層として、ラミネート材を用いる場合には、例えば、リンテック株式会社製の「ラグ  プロテクト（製品名）」を用いることができる。さらに、ＵＶ吸収層として、インキを用いる場合には、株式会社セイコーアドバンス製の「ＳＧ４２９Ｂ  オーバーコートクリヤー（製品名）」を用いることができる。
【００８２】
なお、本発明において、光透過性着色層２０などの被覆層は、単層でもよいが複数の層を積層したものでもよく、複数の層を積層する場合には、同じ種類の被覆層を積層しても、異なる種類の被覆層を選択して積層することも可能である（以下の実施例においても同様である）。
【００８３】
さらに、この実施例の凹凸状の模様２２は、サークル状に形成しているが、凹凸のある他のパターン模様を形成しても良い。例えば、ストライプ、渦巻、梨地模様、格子状模様、略ピラミッド形状の模様、幾何学模様、編目模様、石調模様、砂目模様、波紋模様、旭光目付等、色々な模様が選択でき、こられの模様を適宜組み合わせることも可能であり、それぞれ求めるデザインに応じて選択することができる（以下の実施例においても同様である）。
【００８４】
また、サークル状の模様２２は、熱転写加工で形成したが、この他、選択する模様によって熱転写加工、プレス加工、サンドブラスト加工等、様々な加工方法を用いることができる。また、凹凸状の模様の断面形状はＶ字状、Ｕ字状、角形形状など適宜選択することができる。
さらに、この凹凸状の模様２２は、表示板１０の表面全体だけでなく、部分的に設けるようにすることも可能である。
【００８５】
また、この実施例では、凹凸状の模様２２を、表示板１０の視認側の表面にだけ形成したが、ソーラーセル１２側の表面に形成することも可能であり、また、表示板１０の視認側の表面とソーラーセル１２側の表面の両方に形成することも可能である。
【００８６】
次に、この実施例１の表示板１０の作用について、図３に基づいて説明する。
表示板１０に入射した光Ｐ１は、サークル状の凹凸状の模様２２、すなわち、光透過性着色層２０のサークル状の凹凸状の模様１８、反射型偏光板１４の表面のサークル状の凹凸状の模様１６を介して、反射型偏光板１４に入射する。
【００８７】
反射型偏光板１４に入射した光の内、反射型偏光板１４の光反射軸と平行な振動面を持つ直線偏光成分の光ｎ１は、反射型偏光板１４から反射されて、反射光Ｐ２となって外に放射される。
反射型偏光板１４の光透過容易軸と平行な振動面を持つ直線偏光成分の光ｍ１は、反射型偏光板１４を透過して、ソーラーセル１２に入射する。
【００８８】
ソーラーセル１２に入射した光は、そこで吸収される光と、そこから反射される光とに分けられる。ソーラーセル１２から反射される光は、その内の反射型偏光板１４の光透過容易軸と平行な振動面を持つ直線偏光成分の光ｍ２は、反射型偏光板１４、光透過性着色層２０を透過して反射光Ｐ３となって外に放射される。
一方、反射型偏光板１４の光反射軸と平行な振動面を持つ直線偏光成分の光ｎ２は、反射型偏光板１４から反射されて、反射光Ｐ４となってソーラーセル１２側に戻ってくる。
このことによって、反射型偏光板１４に入射した光で、ソーラーセル１２から反射されて反射型偏光板１４に戻ってくる光の量は非常に少なくなる。
【００８９】
さらに、反射型偏光板１４、光透過性着色層２０の表面には、それぞれ模様１６、１８からなる凹凸状の模様２２が形成されているので、反射型偏光板１４の表面での反射光Ｐ２や、ソーラーセル１２で反射し反射型偏光板１４、光透過性着色層２０を透過した反射光Ｐ３は、一様な方向への反射にならず、四方に分散・散乱した状態の反射光になって外に放射される。
【００９０】
このように、ソーラーセル１２からの反射光が少なくなること、さらに凹凸状の模様１６の作用で散乱が生じることによって、ソーラーセル１２の十字線や濃紫色は完全に消し去られて全く視認されなくなる。
以上のように、この実施例の表示板によれば、ソーラーセル１２の十字線や濃紫色を完全に消し去るとともに、金属表示板と同様の金属感が得られ鮮明な模様が視認されるので、装飾性に優れた表示板を得ることができる。さらに、この実施例においては反射型偏光板１４の厚さの値を１６０μｍとすることにより、薄型で高級感のある表示板を得ることができた。
【００９１】
すなわち、この実施例１の表示板は、サークル状の凹凸状の模様２２が視認側からはっきりと視認できる。また、このサークル状の凹凸状の模様２２は、下からの反射光を屈折させて散乱させる作用もあり、反射型偏光板１４の強い反射光によりサークル状の凹凸状の模様２２と金属表示板と同様の金属感が明るく鮮明に視認される。この結果、金属表示板と同様の金属感を感じさせ、高級感のある表示板を得ることができる。また、ソーラーセル１２の色は全く消し去られて視認されることがない。
【００９２】
このように表示板基体である反射型偏光板１４の表面に被覆層である光透過性着色層２０を施した後、凹凸状の模様２２を形成した模様表面を有することによって、例えば、ソーラー駆動の腕時計などに用いた場合に、ソーラーセルの発電に充分な光量を供給し、ソーラーセルの十字線や濃紫色が目に見えないようにすることができ、しかも、デサインバリエーションの向上と薄型化を実現することができる。
【００９３】
また、金属表示板と同様の金属感や、白さが得られるとともに装飾性に優れ、高級感のある表示板を実現することができる。
さらに、表示板基体の少なくとも一方の表面が、被覆層である光透過性着色層２０で被覆されているので、紫外線や、可視光線によって、変色することがなく、さらに、湿度などが加わっても、耐候性に優れている。
【００９４】
しかも、予め模様を形成した表示板基体である反射型偏光板１４の表面に、被覆層である光透過性着色層２０を施す場合には、この被覆層である光透過性着色層２０によって表面が平坦になったり、模様形状がぼやけるなどして、鮮明な模様が得られないが、本発明のように、模様表面が、表示板基体である反射型偏光板１４の表面に被覆層である光透過性着色層２０を施した後、凹凸状の模様２２を形成したものであれば、模様形状がぼやけることがなく、鮮明な模様が得られる。
【００９５】
（実施例２）
図５は、本発明の実施例２の表示板の断面図である。
この実施例の表示板１０は、基本的には、実施例１の表示板１０とその構成は同様であり、同一の構成部材には、同一の参照番号を付して、その詳細な説明を省略する。
【００９６】
この実施例の表示板１０は、ソーラーセル１２と、このソーラーセル１２の視認側に設
ける反射型偏光板１４とを備える点では実施例１の表示板１０と同様であるが、反射型偏光板１４の視認側に、さらに透過性基板４６を備えている。
また、この透過性基板４６のソーラーセル１２と対向する側の表面には、プリズム反射面である凹凸状の模様４８が形成されている。透過性基板４６は射出成形で成形するが、その時、プリズム反射面である凹凸状の模様４８も、金型から転写して同時に成形する。
このプリズム反射面である凹凸状の模様４８は、三角形のプリズム形状をなしており、サークル模様状または渦巻き模様状に形成する。
【００９７】
三角形の角度は、凹部、凸部ともに、７５〜１００度の範囲内に形成している。また、高さｈの値は、１５〜１００μｍ、ピッチｐの値は、略１５０μｍ位に形成している。
この高さやピッチは、金型の加工が容易で、且つ目に見える程度の寸法に形成するのが好ましい。
この透過性基板４６のプリズム反射面である、凹凸状の模様４８で反射される光や、ソーラーセル１２からの反射光で、プリズム反射面である凹凸状の模様４８を透過する光は、プリズム反射面が、サークル状や渦巻き状に形成されているので、一様な方向への反射にならず、四方に分散・散乱した状態の反射光になって、反射型偏光板１４を透過して外に放射される。
【００９８】
透過性基板４６のプリズム反射面である凹凸状の模様４８と、反射型偏光板１４との反射光により、格子状の凹凸状の模様１６と金属表示板と同様の金属感が、明るく鮮明に視認される。
【００９９】
この結果、金属表示板と同様の金属感を感じさせ、高級感のある表示板を得ることができる。また、ソーラーセル１２からの反射光が少なくなること、プリズム反射面である凹凸状の模様４８の作用で散乱が生じることなどによって、ソーラーセル１２の濃紫色や十字線は、完全に消し去られて視認されることはない。
なお、この実施例では、透過性基板４６のソーラーセル１２と対向する側の表面には、プリズム反射面である凹凸状の模様４８を形成したが、透過性基板４６の視認側の表面、ソーラーセル１２と対向する側の表面の少なくとも一方側に設ければ良く、特に限定されるものではない（以下の実施例においても同様である）。
また、透過性基板４６としては、特に限定されるものではないが、例えば、光、電波などの所望の波長を透過する透過性を有する基板であればいずれも使用することができる（以下の実施例においても同様である）。
【０１００】
（実施例３）
図６は、本発明の表示板の別の実施例の製造工程を示す工程概略図である。
上記の実施例１では、表示板基体である反射型偏光板１４の表面に、被覆層である光透過性着色層２０を施した後、凹凸状の模様２２を一体的に形成したが、図６に示したような工程により表示板１０を形成することも可能である。
【０１０１】
すなわち、先ず、図６（ａ）に示したように、予め、反射型偏光板１４の表面に（この実施例では、表示板１０の外周部分に）、部分的に模様３２を形成し、表示板形状に打ち抜いた反射型偏光板１４を用意する。
【０１０２】
そして、図６（ｂ）に示したように、この反射型偏光板１４の視認側の表面１４ａに、光透過性着色層２０を、例えば、印刷などによって形成する。
【０１０３】
次に、図６（ｃ）に示したように、表面に上記の模様３２と異なる箇所に（この実施例では、表示板１０の中央部分に）、上記の模様３２と異なる凹凸状の転写模様２８を有する熱転写用押し型（金型）３０を準備して、図６（ｃ）の矢印で示したように、反射型偏
光板１４の視認側の表面１４ａに形成された光透過性着色層２０に加熱下で押圧する（図６（ｄ）参照）。
【０１０４】
そして、図６（ｅ）の矢印で示したように、熱転写用押し型（金型）３０を反射型偏光板１４の視認側の表面１４ａに形成された光透過性着色層２０から離間する方向に移動させる。
【０１０５】
これにより、図６（ｅ）に示したように、反射型偏光板１４の視認側の凹凸状の模様１６と、この凹凸状の模様１６の表面の光透過性着色層２０において、この模様１６と同じ形状の凹凸状の模様１８とが、この実施例では、表示板１０の中央部分に、一体的に形成される。
【０１０６】
これによって、光透過性着色層２０から反射型偏光板１４の表面にわたって、表示板１０の中央部分に、凹凸状の模様２２が形成された模様表面が構成される。
しかも、この実施例では表示板１０の外周部分には、光透過性着色層２０の表面には模様が形成されておらず、凹凸状の模様２２とは相違する模様３２が、表示板１０の外周部分に形成される。
【０１０７】
このように構成することによって、表示板基体である反射型偏光板１４の表面に予め形成された模様３２と、反射型偏光板１４の表面に、被覆層である光透過性着色層２０を施した後に形成された模様２２とによって、奥行きのある立体的な凹凸模様の表現が可能となるとともに、模様の種類が多くなり、デサインバリエーションの向上を実現することができる。
【０１０８】
なお、この場合、この実施例では、予め、反射型偏光板１４の表面の外周部分に、部分的に模様３２を形成し、表示板１０の中央部分に、この模様３２と異なる模様２２を形成したが、これらの模様２２、３２の形状、配置位置、模様の種類などは、デザインに応じて適宜選択することが可能である。
【０１０９】
（実施例４）
【０１１０】
図７は、本発明の表示板の別の実施例の製造工程を示す工程概略図である。
上記の実施例３では、予め、反射型偏光板１４の表面の外周部分に、部分的に模様３２を形成し、表示板１０の中央部分に、この模様３２と異なる模様２２を形成したが、この実施例では、予め、反射型偏光板１４の表面全面に模様３２を形成し、表示板１０の全面にこの模様３２と同じ模様２２を形成した。
【０１１１】
すなわち、先ず、図７（ａ）に示したように、予め、反射型偏光板１４の表面全面に模様３２を形成し、表示板形状に打ち抜いた反射型偏光板１４を用意する。
そして、図７（ｂ）に示したように、この反射型偏光板１４の視認側の表面１４ａに、光透過性着色層２０を、例えば、印刷などによって形成する。
【０１１２】
次に、図７（ｃ）に示したように、表面全面に上記の模様３２と同じ凹凸状の転写模様２８を有する熱転写用押し型（金型）３０を準備して、図７（ｃ）の矢印で示したように、反射型偏光板１４の視認側の表面１４ａに形成された光透過性着色層２０に加熱下で押圧する（図７（ｄ）参照）。
【０１１３】
そして、図７（ｅ）の矢印で示したように、熱転写用押し型（金型）３０を反射型偏光板１４の視認側の表面１４ａに形成された光透過性着色層２０から離間する方向に移動させる。
これにより、図７（ｅ）に示したように、反射型偏光板１４の表面全面に模様３２と、この凹凸状の模様３２の表面の光透過性着色層２０において、この模様３２と同じ形状の凹凸状の模様１８とが、一体的に形成される。
【０１１４】
これによって、光透過性着色層２０から反射型偏光板１４の表面にわたって、表示板１０の全面に、凹凸状の模様２２が形成された模様表面が構成される。
このように構成することによって、表示板基体である反射型偏光板１４の表面に予め形成された模様３２と、反射型偏光板１４の表面に、被覆層である光透過性着色層２０を施した後に形成された模様１８とによって、重なった模様２２が形成される。
【０１１５】
このように構成することによって、同じ模様である、表示板基体である反射型偏光板１４の表面に予め形成した模様３２と、反射型偏光板１４の表面に被覆層である光透過性着色層２０を施した後に形成された模様２２（１８）とが重なり合って、模様形状がぼやけることがなく、さらに鮮明な模様が得られるとともに、奥行きのある立体的な凹凸模様の表現が可能となり、デサインバリエーションの向上を実現することができる。
【０１１６】
（実施例５）
図８は、本発明の表示板の別の実施例の製造工程を示す工程概略図である。
上記の実施例３では、予め、反射型偏光板１４の表面の外周部分に、部分的に模様３２を形成し、表示板１０の中央部分に、この模様３２と異なる模様２２を形成したが、この実施例では、予め、反射型偏光板１４の表面全面に模様３２を形成し、表示板１０の全面に、この模様３２と異なる模様２２を形成した。
【０１１７】
すなわち、先ず、図８（ａ）に示したように、予め、反射型偏光板１４の表面全面に模様３２を形成し、表示板形状に打ち抜いた反射型偏光板１４を用意する。
そして、図８（ｂ）に示したように、この反射型偏光板１４の視認側の表面１４ａに、光透過性着色層２０を、例えば、印刷などによって形成する。
【０１１８】
次に、図８（ｃ）に示したように、表面全面に上記の模様３２と異なる凹凸状の転写模様２８を有する熱転写用押し型（金型）３０を準備して、図８（ｃ）の矢印で示したように、反射型偏光板１４の視認側の表面１４ａに形成された光透過性着色層２０に加熱下で押圧する（図８（ｄ）参照）。
【０１１９】
そして、図８（ｅ）の矢印で示したように、熱転写用押し型（金型）３０を反射型偏光板１４の視認側の表面１４ａに形成された光透過性着色層２０から離間する方向に移動させる。
これにより、図８（ｅ）に示したように、反射型偏光板１４の表面全面に模様３２と、この凹凸状の模様３２の表面の光透過性着色層２０において、この模様３２と異なる形状の凹凸状の模様２２とが、一体的に形成される。
【０１２０】
これによって、光透過性着色層２０においては、模様３２と異なる形状の凹凸状の模様２２が形成される。一方、その下方の反射型偏光板１４の表面では、予め形成された模様３２とこれとは異なる熱転写用押し型（金型）３０の転写模様２８による模様３４とが重なり合って、新規な模様３６が形成される。
【０１２１】
このように構成することによって、表示板基体である反射型偏光板１４の表面に予め形成した模様３２と、反射型偏光板１４の表面に被覆層である光透過性着色層２０を施した後に形成された模様２２とが重なり合った模様が形成され、奥行きのある立体的な凹凸模様の表現が可能となり、しかも、異なる模様３２、３４が重なりあった部分では、斬新な模様３６を形成することになって、デサインバリエーションの向上を実現することができ
る。
【０１２２】
（実施例６）
図９は、本発明の表示板の別の実施例の製造工程を示す工程概略図である。
上記の実施例３では、予め、反射型偏光板１４の表面の外周部分に、部分的に模様３２を形成し、表示板１０の中央部分に、この模様３２と異なる模様２２を形成したが、この実施例では、予め、反射型偏光板１４の表面の外周部分に、部分的に模様３２を形成し、表示板１０の全面に、この模様３２と異なる模様２２を形成した。
【０１２３】
すなわち、先ず、図９（ａ）に示したように、予め、反射型偏光板１４の表面の外周部分に、部分的に模様３２を形成し、表示板形状に打ち抜いた反射型偏光板１４を用意する。
そして、図９（ｂ）に示したように、この反射型偏光板１４の視認側の表面１４ａに、光透過性着色層２０を、例えば、印刷などによって形成する。
【０１２４】
次に、図９（ｃ）に示したように、表面全面に上記の模様３２と異なる凹凸状の転写模様２８を有する熱転写用押し型（金型）３０を準備して、図９（ｃ）の矢印で示したように、反射型偏光板１４の視認側の表面１４ａに形成された光透過性着色層２０に加熱下で押圧する（図９（ｄ）参照）。
そして、図９（ｅ）の矢印で示したように、熱転写用押し型（金型）３０を反射型偏光板１４の視認側の表面１４ａに形成された光透過性着色層２０から離間する方向に移動させる。
【０１２５】
これにより、図９（ｅ）に示したように、反射型偏光板１４の表面の外周部分に部分的に形成された模様３２と、光透過性着色層２０において、この模様３２と異なる形状の凹凸状の模様２２とが、一体的に形成される。
これによって、光透過性着色層２０においては、模様３２と異なる形状の凹凸状の模様２２が形成される。
【０１２６】
一方、その下方の反射型偏光板１４の外周部分の表面では、反射型偏光板１４の表面の外周部分に部分的に形成された模様３２と、これとは異なる熱転写用押し型（金型）３０の転写模様２８による模様３４とが重なり合って、新規な模様３６が形成される。
このように構成することによって、表示板基体である反射型偏光板１４の表面に予め形成された模様３２と、反射型偏光板１４の表面に、被覆層である光透過性着色層２０を施した後に形成された模様２２、３６とによって、重なった模様が形成される。
【０１２７】
このように構成することによって、表示板基体である反射型偏光板１４の表面に予め形成した模様３２と、反射型偏光板１４の表面に被覆層である光透過性着色層２０を施した後に形成された模様２２とが重なり合って、奥行きのある立体的な凹凸模様の表現が可能となり、しかも、異なる模様３２、３４が重なりあった外周部分では、斬新な模様３６を形成することになって、デサインバリエーションの向上を実現することができる。
【０１２８】
（実施例７）
図１０は、本発明の表示板の別の実施例の製造工程を示す工程概略図である。
上記の実施例３では、予め、反射型偏光板１４の表面の外周部分に、部分的に模様３２を形成し、表示板１０の中央部分に、この模様３２と異なる模様２２を形成したが、この実施例では、予め、反射型偏光板１４の外周部分に模様３２を形成し、表示板１０の外周部分に、この模様３２と同じ模様２２ａを形成するとともに、表示板１０の中央部分に、この模様３２と異なる模様２２ｂを形成した。
【０１２９】
すなわち、先ず、図１０（ａ）に示したように、予め、反射型偏光板１４の表面の外周部分に、部分的に模様３２を形成し、表示板形状に打ち抜いた反射型偏光板１４を用意する。
そして、図１０（ｂ）に示したように、この反射型偏光板１４の視認側の表面１４ａに、光透過性着色層２０を、例えば、印刷などによって形成する。
【０１３０】
次に、図１０（ｃ）に示したように、表面の外周部分に、この模様３２と同じ凹凸状の転写模様２８ａを形成するとともに、中央部分に、この模様３２と異なる凹凸状の転写模様２８ｂを有する熱転写用押し型（金型）３０を準備して、図１０（ｃ）の矢印で示したように、反射型偏光板１４の視認側の表面１４ａに形成された光透過性着色層２０に加熱下で押圧する（図１０（ｄ）参照）。
【０１３１】
そして、図１０（ｅ）の矢印で示したように、熱転写用押し型（金型）３０を反射型偏光板１４の視認側の表面１４ａに形成された光透過性着色層２０から離間する方向に移動させる。
これにより、図１０（ｅ）に示したように、反射型偏光板１４の表面の外周部分に部分的に形成された模様３２と、光透過性着色層２０において、その外周部分に、この模様３２と同じ凹凸状の模様２２ａを形成するとともに、中央部分に、この模様３２と異なる凹凸状の模様２２ｂとが、一体的に形成される。
【０１３２】
これによって、光透過性着色層２０においては、その外周部分に、この模様３２と同じ凹凸状の模様２２ａを形成するとともに、中央部分に、この模様３２と異なる凹凸状の模様２２ｂとが形成される。
【０１３３】
一方、その下方の反射型偏光板１４の外周部分の表面では、反射型偏光板１４に形成された模様３２と、これと同じ模様である熱転写用押し型（金型）３０の転写模様２８ａによって形成された光透過性着色層２０の模様３４ａとが重なり合って、鮮明な模様３６が形成される。
また、反射型偏光板１４の中央部分の表面では、熱転写用押し型（金型）３０の転写模様２８ｂによって、反射型偏光板１４の外周部に形成された模様３２とは異なる、反射型偏光板１４の模様３４ｂと、光透過性着色層２０の模様２２ｂが重なり合って、鮮明な模様３８が形成される。
【０１３４】
このように構成することによって、同じ模様である、表示板基体である反射型偏光板１４の外周部分の表面に予め形成した模様３２と、反射型偏光板１４の外周部分の表面に被覆層である光透過性着色層２０を施した後に形成された模様２２ａとが重なり合って、模様形状がぼやけることがなく、さらに鮮明な模様が得られるとともに、奥行きのある立体的な凹凸模様の表現が可能となる。
【０１３５】
また、同じ模様が重なりあった中央部分では、反射型偏光板１４の中央部分の表面に被覆層である光透過性着色層２０を施した後に形成された反射型偏光板１４の模様３４ｂと、光透過性着色層２０の模様２２ｂが重なり合って、鮮明な模様３８が形成され、模様形状がぼやけることがなく、さらに鮮明な模様が得られるとともに、奥行きのある立体的な凹凸模様の表現が可能となる。
【０１３６】
なお、この実施例では、予め、反射型偏光板１４の外周部分に模様３２を形成し、表示板１０の外周部分に、この模様３２と同じ模様２２ａを形成するとともに、表示板１０の中央部分に、この模様３２と異なる模様２２ｂを形成したが、この組み合わせ、配置位置などは適宜変更可能であって、同じ模様と異なる模様を有するようにすればよい。
【０１３７】
例えば、図示しないが、表示板１０の中央部分に、反射型偏光板１４の模様３２と同じ模様２２ａを形成するとともに、表示板１０の外周部分に、この模様３２と異なる模様２２ｂを形成しても良い。また、例えば、反射型偏光板１４側に形成する模様を外周部分と中央部分とで異なるようにし、表示板１０の全面に一様な模様を形成するようにしても良い。
【０１３８】
（実施例８）
図１１は、本発明の実施例８の表示板の断面図、図１２は、本発明の実施例８の第１、第２の反射型偏光板を示す斜視図である。
この実施例の表示板１０は、基本的には、実施例１の表示板１０とその構成は同様であり、同一の構成部材には、同一の参照番号を付して、その詳細な説明を省略する。
【０１３９】
この実施例の表示板１０は、ソーラーセル１２と、このソーラーセル１２の視認側に設ける第１の反射型偏光板４０と、ソーラーセル１２に対向する側に設ける第２の反射型偏光板４２とを備えている。
【０１４０】
そして、第１の反射型偏光板４０の視認側の表面には、サークル状の凹凸状の模様１６が形成されており、この模様１６の視認側の表面に、光透過性着色層２０を設け、第２の反射型偏光板４２のソーラーセル１２と対向する表面に、拡散層４４を設けている。
また、第１、第２の反射型偏光板４０、４２とソーラーセル１２とを、固定部材を使用せずに、単に積層配置し、時計用の中枠等で保持したものである。また、この実施例においては、交差角ｓの値を約１５度に設定した。
【０１４１】
第１の反射型偏光板４０および凹凸状の模様１６については、実施例１の反射型偏光板１４、凹凸状の模様１６と同様であるため説明を省略する。
また、第２の反射型偏光板４２は、表面に凹凸状の模様が形成されていない点が異なるだけで、光の透過と反射の作用等、その他の点については、実施例１で説明した反射型偏光板１４と同様であるため説明を省略する。
【０１４２】
また、実施例１で記載したように、第１、第２の反射型偏光板４０、４２は、それぞれ光反射軸と光透過容易軸とを備えているが、この実施例においては、図１２に示したように、第１、第２の反射型偏光板４０、４２のそれぞれの光透過容易軸４０ａ、４２ａの方向が互いに異なる方向となるように積層配置されている。
【０１４３】
この光透過容易軸４０ａ、４２ａの交差角ｓの値を変化させることにより、第１、第２の反射型偏光板４０、４２の２枚の反射型偏光板を透過する光量を調整することができる。
この交差角ｓの値は、２枚の反射型偏光板を透過する光量を確保する必要から、５度から４５度の範囲に設定することが好ましい。
【０１４４】
なお、第１、第２の反射型偏光板４０、４２の形状は、円形形状であるが、図１２においては、説明を分かり易くするため模擬的に四辺形形状で描いたものである。
この光透過性着色層２０は、白色顔料を樹脂に混ぜ合わせ印刷方法で形成している。白色顔料を用いている理由は、表示板に白色感を出すためで、膜厚を厚くすると白さは出るが透過率が悪くなる。
【０１４５】
従って、約７〜１０μｍ程度の薄い膜厚にしてこれによる透過率が約１０％程度低下する位にしてある。他の色を出したい場合は他の顔料を用いる。また、蒸着方法で非常に薄い金属膜を形成しても良く、求める色に応じて適宜選択するのが好ましい。
なお、光透過性着色層２０の代わりに、拡散層を設けても同様の白色感を得ることがで
きる。
【０１４６】
また、拡散層４４は、粘着剤や接着剤等に入射した光を拡散する機能を有する拡散剤を混入したもので、拡散層４４の拡散剤の材料としては粒状、粉末状、鱗片状、針状等のシリカ、ガラス、樹脂等を用いることができる。この実施例の場合、拡散剤の材料としては、粒状のガラスを粘着剤に混入したものを用いた。
【０１４７】
これによって、第１、第２の反射型偏光板４０、４２の反射光と、光透過性着色層２０の白色と、拡散層４４との拡散作用によって、白さが一層増し白色感が強調されたサークル模様を鮮明に視認することができる。
この結果、高級感のある表示板を得ることができ、ソーラーセル１２の色を完全に消し去ることができる。また、実施例６と同様の効果を得ることができる。
なお、この実施例８において、同じ種類の反射型偏光板を２枚用いた実施例で説明したが、これに限定されるものではなく、３枚以上の複数の反射型偏光板を用いることもできる。また、複数の異なる種類の反射型偏光板を組み合わせて用いることも可能である。
【０１４８】
（実施例９）
図１３は、本発明の実施例９の表示板の断面図であり、反射型偏光板に、凹凸状の模様を形成するともに光透過性着色層を設けた実施例である。
この実施例の表示板１０は、基本的には、実施例１の表示板１０とその構成は同様であり、同一の構成部材には、同一の参照番号を付して、その詳細な説明を省略する。
図１３に示したように、この実施例の表示板は、ソーラーセル１２と、このソーラーセル１２の視認側に設ける反射型偏光板１４と、ソーラーセル１２と反射型偏光板１４との間に配置される透過性基板４６とを備えている。
【０１４９】
そして、反射型偏光板１４の視認側の表面に、格子状の凹凸状の模様１６を形成し、この凹凸状の模様１６の表面に、光透過性着色層２０を設けたものである。
反射型偏光板１４と格子状の凹凸状の模様１６については、実施例１と同様であるので、詳細な説明は省略する。また、反射型偏光板１４と透過性基板４６とは、互いの外周部が、粘着材または接着剤等の固定部材２６ａで固定されている。
【０１５０】
さらに、透過性基板４６とソーラーセル１２とは、互いの外周部が、粘着材または接着剤等の固定部材２６ｂで固定されている。
また、光透過性着色層２０は、銅金属粉を透明なウレタン樹脂に混ぜ合わせてインク化し、印刷方法で反射型偏光板１４の格子状の凹凸状の模様１６の表面に形成している。
【０１５１】
透過性基板４６のソーラーセル１２と対向する側の表面には、プリズム反射面である凹凸状の模様４８が形成されている。透過性基板４６は射出成形で成形するが、その時、プリズム反射面である凹凸状の模様４８も、金型から転写して同時に成形する。
このプリズム反射面である凹凸状の模様４８は、三角形のプリズム形状をなしており、サークル模様状または渦巻き模様状に形成する。
【０１５２】
三角形の角度は、凹部、凸部ともに、７５〜１００度の範囲内に形成している。また、高さｈの値は、１５〜１００μｍ、ピッチｐの値は、略１５０μｍ位に形成している。
この高さやピッチは、金型の加工が容易で、且つ目に見える程度の寸法に形成するのが好ましい。
この透過性基板４６のプリズム反射面である、凹凸状の模様４８で反射される光や、ソーラーセル１２からの反射光で、プリズム反射面である凹凸状の模様４８を透過する光は、プリズム反射面が、サークル状や渦巻き状に形成されているので、一様な方向への反射にならず、四方に分散・散乱した状態の反射光になって、反射型偏光板１４を透過して外
に放射される。
【０１５３】
このようにこの実施例の表示板は、反射型偏光板１４の反射光および透過性基板４６のプリズム反射面である凹凸状の模様４８の反射光と、光透過性着色層２０との色とで、全体的に金属表示板と同様の金属感が現れるように仕上げられている。
また、視認側から反射型偏光板１４の格子状の凹凸状の模様１６が、はっきりと視認できる。さらに、この格子状の凹凸状の模様１６は、下からの反射光を屈折させて散乱させる作用もある。
【０１５４】
透過性基板４６のプリズム反射面である凹凸状の模様４８と、反射型偏光板１４との反射光により、格子状の凹凸状の模様１６と金属表示板と同様の金属感が、明るく鮮明に視認される。
【０１５５】
この結果、金属表示板と同様の金属感を感じさせ、高級感のある表示板を得ることができる。また、ソーラーセル１２からの反射光が少なくなること、プリズム反射面である凹凸状の模様４８の作用で散乱が生じることなどによって、ソーラーセル１２の濃紫色や十字線は、完全に消し去られて視認されることはない。
【０１５６】
なお、図示しないが、反射型偏光板１４は、透過性基板４６の下層または上層に配置することが可能であり、反射型偏光板１４を、透過性基板４６の下層に配置する場合は、透過性基板４６を通した反射型偏光板の凹凸模様が視認でき、奥行きのある立体的な表現ができる。
【０１５７】
この場合、透過性基板４６は、ポリカーボネイト、アクリル等の透明な樹脂材料、ガラス、サファイヤ、セラミックス等の無機材料、半透明カラー材料等、例えば、樹脂などから構成されるフィルムなどを用いることができ、鮮明な色彩を有する表示板を実現することができる。特に、ポリカーボネイト、アクリルを使用すると、耐光性をより向上させることが可能となる。さらに、拡散層、ＵＶ反射層、または、ＵＶ吸収層を形成したり、拡散剤、ＵＶ反射剤、または、ＵＶ吸収剤を含有させるとなお良い。
【０１５８】
また、反射型偏光板１４を透過性基板４６の上層に配置する場合は、前述の材料の他に、位相差板、光を透過する複数の小孔を有する金属板等を用い、凹凸模様を有する反射型偏光板との組み合わせより、金属色や明るさのある鮮明な色彩を有する表示板を実現することができる。
さらに、透過性基板４６、反射型偏光板１４の表面に光透過性着色層、拡散層を設けることにより、鮮明な色彩や高級感のある白さを有する表示板を得ることができる。また、透過性基板や反射型偏光板に着色剤や拡散剤を含有させることでも同様の効果が得られる。
【０１５９】
（実施例１０）
図１４は、本発明の実施例１０の表示板を示す概略断面図、図１５は、図１４の表示板の光路図、図１６は、第１、第２の反射型偏光板を示す斜視図である。
この実施例の表示板１０は、基本的には、実施例１の表示板１０とその構成は同様であり、同一の構成部材には、同一の参照番号を付して、その詳細な説明を省略する。
【０１６０】
図１４に示したように、この実施例の表示板は、ソーラーセル１２と、このソーラーセル１２の視認側に設ける第１、第２の反射型偏光板５０、５２と、第１の反射型偏光板５０と第２の反射型偏光板５２との間に配置される透過性基板４６とを備えている。
また、第１の反射型偏光板５０のストライプ状の凹凸状の模様１６が形成されている、視認側の表面に、光透過性着色層２０が設けられ、第２の反射型偏光板５２のソーラーセ
ル１２の対向する側の表面には、拡散層５４が設けられている。
【０１６１】
また、透過性基板４６は、表裏両面が平滑な平面となっており、第１、第２の反射型偏光板５０、５２、透過性基板４６は、全面で互いに熱圧着されている。
この実施例の表示板の製造方法は、２枚の反射型偏光板基材の間に、透過性基板ブランク材を積層配置し、透過性基板ブランク材と２枚の反射型偏光板基材とを、熱圧着法によって圧着固定し一体化する。
【０１６２】
透過性基板ブランク材および反射型偏光板基材は、いずれも両面は、平滑な平面に仕上げられているものを用いた。
次に、一体化されている第１の反射型偏光板基材の表面に、ストライプ状の凹凸状の模様１６を形成し、その後、表示板形状に打ち抜き、一体化された第１、第２の反射型偏光板５０、５２と、透過性基板４６とを形成した。
【０１６３】
図１４においては、第１の反射型偏光板５０と、透過性基板４６および第２の反射型偏光板５２と、透過性基板４６の熱圧着された熱圧着領域１３を、分かり易くするために、交差する斜線を施して示してある。
【０１６４】
このように平滑な平面同士の場合は、接着剤や粘着剤を用いずに、熱圧着法によって圧着固定することができる。さらに、一体化された第２の反射型偏光板５２を、ソーラーセル１２と、互いの外周部で、粘着材または接着剤等の固定部材２６で固定し、図１４に示したように、この実施例の表示板を形成した。
【０１６５】
第１の反射型偏光板５０の凹凸状の模様１６の表面に設ける、光透過性着色層２０は、白色顔料を樹脂に混ぜ合わせ印刷方法で形成している。白色顔料を用いている理由は、表示板に白色感を出すためで、膜厚を厚くすると白さは出るが、透過率が悪くなる。
【０１６６】
従って、約７〜１０μｍ程度の薄い膜厚にして、これによる透過率が、約１０％程度低下する位にしてある。
他の色を出したい場合は他の顔料を用いる。また、蒸着方法で非常に薄い金属膜を形成しても良く、求める色に応じて適宜選択するのが好ましい。
また、第２の反射型偏光板５２の表面に設けた拡散層５４は、粘着剤、接着剤、樹脂（透明インキ、透明塗料）等に、入射した光を拡散する機能を有する拡散剤を混入したもので、拡散剤の材料としては、粒状、粉末状、鱗片状、針状等のシリカ、ガラス、樹脂等を用いることができる。
【０１６７】
第１、第２の反射型偏光板５０、５２の材料としての反射型偏光板基材は、偏光性が異なる２種類のフィルムを交互に複数層積層した積層体が好ましく、この実施例においては、住友３Ｍ社製の商品名「ＤＢＥＦ」を用いており、実施例１と同様であるので、その詳細な説明は省略する。
【０１６８】
この実施例においては、この反射型偏光板基材１１の表面にストライプ状の凹凸状の模様１６を形成し、その後表示板形状に打ち抜き、図１４に示した第１の反射型偏光板５０としたものである。なお、第２の反射型偏光板５２については、模様が形成されていない点が異なるだけで他は同様である。
【０１６９】
また、第１、第２の反射型偏光板５０、５２は、それぞれ光反射軸と光透過容易軸とを備えているが、この実施例においては、図１６に示したように、第１、第２の反射型偏光板５０、５２のそれぞれの光透過容易軸５０ａ、５２ａおよび光反射軸５０ｂ、５２ｂの方向が、互いに異なる方向となるように配置されている。
【０１７０】
この光透過容易軸５０ａ、５２ａの交差角ｓの値を変化させることにより、第１、第２の反射型偏光板５０、５２の２枚の反射型偏光板を透過する光量を調整することができる。
また、この実施例においては、第１、第２の反射型偏光板５０、５２の光透過容易軸の交差角ｓの値を、約１５度に設定した。
次に、第１、第２の反射型偏光板５０、５２の作用について、図１５に基づいて説明する。
【０１７１】
第１の反射型偏光板５０に入射した光Ｐ１のうち、第１の反射型偏光板５０の光反射軸５０ｂと平行な振動面を持つ直線偏光成分の光は、第１の反射型偏光板５０から反射されて、反射光Ｐ２となって外に放射される。
第１の反射型偏光板５０の光透過容易軸５０ａと平行な振動面を持つ直線偏光成分の光ｋ１は、第１の反射型偏光板５０を透過して、透過性基板４６に入射する。
【０１７２】
透過性基板４６に入射した光ｋ１は、透過性基板４６内で屈折して、透過性基板４６を透過し、第２の反射型偏光板５２に入射する。
第２の反射型偏光板５２に入射した光ｋ１のうち、第２の反射型偏光板５２の光反射軸５２ｂと平行な振動面を持つ直線偏光成分の光ｎ１は、第２の反射型偏光板５２から反射されて、透過性基板４６、第１の反射型偏光板５０を透過して、反射光Ｐ３となって外に放射される。
【０１７３】
第２の反射型偏光板５２の光透過容易軸５２ａと平行な振動面を持つ、直線偏光成分の光ｍ１は、第２の反射型偏光板５２を透過して、ソーラーセル１２に入射する。
この第２の反射型偏光板５２の光透過容易軸５２ａは、前述のように、第１の反射型偏光板５０の光透過容易軸と互いに異なるように配置され、ソーラーセル１２に入射する光量が、所望の大きさとなるように調節されている。
【０１７４】
ソーラーセル１２に入射した光は、そこで吸収される光と、そこから反射される光とに分けられる。ソーラーセル１２から反射される光は、その中の第２の反射型偏光板５２の光透過容易軸５２ａと平行な振動面を持つ、直線偏光成分の光ｍ２が、第２の反射型偏光板５２、透過性基板４６、第１の反射型偏光板５０を透過、屈折して、反射光Ｐ４となって外に放射される。
【０１７５】
一方、第２の反射型偏光板５２の光反射軸５２ｂと平行な振動面を持つ、直線偏光成分の光ｎ２は、第２の反射型偏光板５２から反射されて、反射光Ｐ５となって、ソーラーセル１２側に戻ってくる。
これによって、第１の反射型偏光板５０に入射した光で、ソーラーセル１２から反射されて第１の反射型偏光板５０に戻ってくる光の量は、非常に少なくなる。
【０１７６】
さらに、第１の反射型偏光板５０の表面には、凹凸状の模様１６が形成されているので、第１の反射型偏光板５０の表面での反射光は、一様な方向への反射にならず、四方に分散・散乱した状態の反射光になって、外に放射される。
また、ソーラーセル１２で反射し、第２の反射型偏光板５２、透過性基板４６を透過した反射光は、第２の反射型偏光板５２のソーラーセル側の表面に拡散層５４が形成されているので、一様な方向への反射にならず、四方に分散・散乱した状態の反射光になって、第１の反射型偏光板５０に入射し、屈折されて外に放射される。
【０１７７】
このように、ソーラーセル１２からの反射光が少なくなること、さらに、第１の反射型偏光板５０の凹凸状の模様１６、第２の反射型偏光板５２の拡散層５４の作用で散乱が生
じることによって、ソーラーセル１２の十字線や濃紫色は、完全に消し去られて全く視認されなくなる。
このように、この実施例の表示板は、光透過性着色層２０、拡散層５４を設けることにより、ソーラーセル１２の色を完全に消し去るとともに、白さが一層増し、白色感が強調され、ストライプ状の凹凸状の模様１６を、鮮明に視認することができる。
【０１７８】
この結果、高級感のある表示板を得ることができる。また、ソーラーセルの十字線や濃紫色は、全く消し去られて視認されなくなる。
なお、この実施例においても、ソーラーセル１２に供給する光量を簡単、かつ容易に調整することができ、製造コストを低減することができるとともに、表示板に形成する金属色および白色が、より強く現れるまでの調整が可能となる。
【０１７９】
（実施例１１）
図１７は、本発明の実施例１１の表示板を示す概略断面図である。
この実施例の表示板１０は、基本的には、実施例１の表示板１０とその構成は同様であり、同一の構成部材には、同一の参照番号を付して、その詳細な説明を省略する。
この実施例は、第１の反射型偏光板に、凹凸状の模様を形成するとともに、光透過性着色層を設けた実施例である。
【０１８０】
図１７に示したように、この実施例の表示板は、ソーラーセル１２と、このソーラーセル１２の視認側に設ける透過性基板４６と、ソーラーセル１２と透過性基板４６との間に配置される第１、第２の反射型偏光板５０、５２とを備えている。
第１の反射型偏光板５０の透過性基板４６と対向する側の表面に、ストライプ状の凹凸状の模様１６を形成し、この凹凸状の模様１６の表面に、光透過性着色層２０を設けたものである。
【０１８１】
光透過性着色層２０は、銅金属粉を透明なウレタン樹脂に混ぜ合わせてインク化し、印刷方法で、第１の反射型偏光板５０のストライプ状の凹凸状の模様１６の表面に形成している。
また、透過性基板４６、第１、第２の反射型偏光板５０、５２、ソーラーセル１２は、固定部材を使用せずに積層配置し、時計用の中枠等で保持されている。また、第１、第２の反射型偏光板５０、５２の光透過容易軸の交差角ｓの値は、約１５度に設定した。
【０１８２】
このように、この実施例の表示板は、第１の反射型偏光板５０の反射光および第２の反射型偏光板５２の反射光と、光透過性着色層２０との色とで、全体的に金属表示板と同様の金属感が現れるように仕上げられている。
また、反射光により、ストライプ状の凹凸状の模様１６と、金属表示板と同様の金属感が明るく鮮明に視認される。さらに、第１の反射型偏光板５０のストライプ状の凹凸状の模様１６が、透過性基板４６の透明層を通して視認されることにより、塗装風で、奥行きのある立体的な表現ができる。
【０１８３】
この結果、金属表示板と同様の金属感を感じさせ、高級感のある表示板を得ることができる。また、ソーラーセル１２からの反射光が少なくなることにより、ソーラーセル１２の濃紫色や十字線は完全に消し去られて、視認されることはない。
【０１８４】
（実施例１２）
図１８は、本発明の実施例１２の表示板を示す概略断面図である。
この実施例の表示板１０は、基本的には、図１７に示した実施例１１の表示板１０とその構成は同様であり、同一の構成部材には、同一の参照番号を付して、その詳細な説明を省略する。
この実施例は、図１７に示した実施例１１の表示板１０の透過性基板４６の上面、すなわち、視認側の表面に、凹凸状の模様５８を形成した実施例である。
【０１８５】
このように、この実施例の表示板は、第１の反射型偏光板５０の反射光および第２の反射型偏光板５２の反射光と、光透過性着色層２０との色とで、全体的に金属表示板と同様の金属感が現れるように仕上げられている。
また、反射光により、第１の反射型偏光板５０のストライプ状の凹凸状の模様１６と、透過性基板４６の上面の凹凸状の模様５８とが重なり、斬新な模様となるとともに、金属表示板と同様の金属感が明るく鮮明に視認される。
さらに、第１の反射型偏光板５０のストライプ状の凹凸状の模様１６、透過性基板４６の上面の凹凸状の模様５８が、透過性基板４６の透明層を通して視認されることにより、塗装風で、奥行きのある立体的な表現ができる。
【０１８６】
この結果、金属表示板と同様の金属感を感じさせ、高級感のある表示板を得ることができる。また、ソーラーセル１２からの反射光が少なくなることにより、ソーラーセル１２の濃紫色や十字線は完全に消し去られて、視認されることはない。
なお、この場合、第１の反射型偏光板５０のストライプ状の凹凸状の模様１６と、透過性基板４６の上面の凹凸状の模様５８とは、同じ模様とすることも異なる模様とすることも、部分的に異なる模様と同じ模様とするなど適宜模様の形状、配置位置を変更することもできる。
なお、この実施例では、透過性基板４６の視認側の表面に、凹凸状の模様５８を形成したが、透過性基板４６の視認側の表面、透過性基板４６のソーラセル１２側の表面のうち少なくとも一方の表面に凹凸状の模様５８を形成すればよい。
【０１８７】
なお、上記の各実施例において、透過性基板の一方の表面に凹凸状の模様を設けた実施例で説明したが、表裏いずれの表面に凹凸状の模様を設けても良く、また両表面に設けても良い。
【０１８８】
また、各実施例において、光透過性着色層または拡散層を、反射型偏光板または透過性基板の一方の表面に設けた実施例で説明したが、表裏いずれの表面に凹凸状の模様を設けても良く、また両表面に設けても良い。
【０１８９】
また、透過性基板に、着色剤、拡散剤の内少なくとも一つを含有させても良く、光透過性着色層や拡散層を設けたものと同様の効果があることは言うまでもない。
また、各実施例においては、透過性基板を一つ用いた実施例で説明したが、これに限定されるものではなく、複数の透過性基板を用いることもできる。
【０１９０】
また、各実施例において同じ種類の反射型偏光板を、２枚用いた実施例で説明したが、これに限定されるものではなく、３枚以上の複数の反射型偏光板を用いることもできる。また、複数の異なる種類の反射型偏光板を組み合わせて用いることも可能である。
さらに、上記実施例では、被覆層から表示板基体の表面にわたって、凹凸状の模様を形成した模様表面としたが、被覆層の厚さおよび加工条件（温度、圧力）によっては、被覆層のみに模様表面を形成するようにしてもよい。
【０１９１】
以上の実施例で説明した表示板は、例えば、図１９、図２０で示したような無線機能付き時計に適用することが可能である。
図２０に示したように、時計ケース１５３は、複数の部品に分割されており、この実施例では、時計ケース胴体１５１と、導電性の見返しリング１６５とに分割されている。
なお、図２０において、符号１７４は、裏蓋１５４と時計ケース胴体１５１との間を、密封状態で封止するための防水パッキンである。
【０１９２】
本発明の表示板は、このようなソーラーセル駆動の無線機能付き時計において、表示板（文字板）として用いた場合に、特に、デザインバリエーションの拡大を図ることができる。
すなわち、本発明の表示板は、上記のようにソーラーセル駆動の無線機能付き時計などに用いた場合に、ソーラーセルの発電に充分な光量を供給し、ソーラーセルの十字線や濃紫色が目に見えないようにすることができる。
【０１９３】
しかも、本発明の表示板を構成する反射型偏光板、透過性基板などが、例えば、透明なポリカーボネイト樹脂やアクリル樹脂などの非導電性材料から構成されるので、電波受信を阻害することがなく、アンテナ１５９の受信性能を高く維持することができ、無線機能付き時計としての機能を確保することができる。
なお、上記の無線機能付き時計では、見返しリング１６５を有するタイプの無線機能付き時計について説明したが、見返しリング１６５を有しないタイプの無線機能付き時計にも適用できる。
【０１９４】
また、ソーラーセル１５７を有しない通常の腕時計にも、また、無線機能を有しない、ソーラーセルを有するソーラー駆動タイプの腕時計にも適用することができる。
上述した実施例では、時刻情報を含む長波標準電波（搬送波）を受信し、その時刻情報に基づいて時刻を修正する無線機能を備えた電波時計について説明したが、本発明の表示板を適用する無線機能付き時計の構造は、パソコン通信機能、携帯電話機能や非接触式ＩＣカード機能などの無線機能を備える時計にも適用され得る。
【０１９５】
さらに、本発明は、上記表示板を、例えば、時計用の表示板、卓上計算機、自動車、飛行機の計器パネル、携帯電話などのモバイル機器などの機器類の表示板として用いた機器類に適用することも可能である。
【産業上の利用可能性】
【０１９６】
本発明は、本発明の表示板を、例えば、時計用の表示板、卓上計算機、自動車、飛行機の計器パネル、携帯電話などのモバイル機器などの機器類の表示板として用いることが可能である。
【図面の簡単な説明】
【０１９７】
【図１】図１は実施例１の表示板を示しており、図１（ａ）は、平面図、図１（ｂ）は、図１（ａ）のＡ−Ａ断面図である。
【図２】図２は、反射型偏光板を示す斜視図である。
【図３】図３は表示板の光路図である。
【図４】図４は、表示板の製造工程を示す概略断面図である。
【図５】図５は、本発明の実施例２の表示板の断面図である。
【図６】図６は、本発明の表示板の別の実施例の製造工程を示す工程概略図である。
【図７】図７は、本発明の表示板の別の実施例の製造工程を示す工程概略図である。
【図８】図８は、本発明の表示板の別の実施例の製造工程を示す工程概略図である。
【図９】図９は、本発明の表示板の別の実施例の製造工程を示す工程概略図である。
【図１０】図１０は、本発明の表示板の別の実施例の製造工程を示す工程概略図である。
【図１１】図１１は、本発明の実施例８の表示板の断面図である。
【図１２】図１２は、本発明の実施例８の第１、第２の反射型偏光板を示す斜視図である。
【図１３】図１３は、本発明の実施例９の表示板の断面図である。
【図１４】図１４は、本発明の実施例１０の表示板を示す概略断面図である。
【図１５】図１５は、図１４の表示板の光路図である。
【図１６】図１６は、第１、第２の反射型偏光板を示す斜視図である。
【図１７】図１７は、本発明の実施例１１の表示板を示す概略断面図である。
【図１８】図１８は、本発明の実施例１２の表示板を示す概略断面図である。
【図１９】図１９は、本発明の表示板を無線機能付き時計に適用した分解斜視図である。
【図２０】図２０は、図１９の無線機能付き時計を組み立てた状態のＡ−Ａ線の部分断面図である。
【図２１】図２１は、一般的なソーラーセルを示す図である。
【図２２】図２２は、従来技術の表示板を示す概略断面図である。
【図２３】図２３は、従来技術の反射型偏光体を示す概略構成図である。
【符号の説明】
【０１９８】
１０   表示板
１１   反射型偏光板基材
１２   ソーラーセル
１３   熱圧着領域
１４   反射型偏光板
１４ａ 表面
１６   模様
１８   模様
２０   光透過性着色層
２２   模様
２２ａ 模様
２２ｂ 模様
２４   時字
２６   固定部材
２６ａ 固定部材
２６ｂ 固定部材
２８   転写模様
２８ａ 転写模様
２８ｂ 転写模様
３２   模様
３４   模様
３４ａ 模様
３４ｂ 模様
３６   模様
３８   模様
４０   反射型偏光板
４０ａ 光透過容易軸
４２   反射型偏光板
４４   拡散層
４６   透過性基板
４８   模様
５０   反射型偏光板
５０ａ 光透過容易軸
５０ｂ 光反射軸
５２   反射型偏光板
５２ａ 光透過容易軸
５２ｂ 光反射軸
５４   拡散層
５６   光透過性着色層
５８   模様
１００ ソーラー時計用文字板
１０１ 基材
１０２ 拡散層
１０３ 偏光体
１０３ 反射型偏光体
１０９ 太陽電池
１３１ 偏光性フイルム層（Ａ層）
１３２ 偏光性フイルム層（Ｂ層）
１５１ 時計ケース胴体
１５３ 時計ケース
１５４ 裏蓋
１５７ ソーラーセル
１５９ アンテナ
１６５ リング
１７４ 防水パッキン
【図１】
0005241258.tif 000002
【図２】
0005241258.tif 000003
【図３】
0005241258.tif 000004
【図４】
0005241258.tif 000005
【図５】
0005241258.tif 000006
【図６】
0005241258.tif 000007
【図７】
0005241258.tif 000008
【図８】
0005241258.tif 000009
【図９】
0005241258.tif 000010
【図１１】
0005241258.tif 000011
【図１２】
0005241258.tif 000012
【図１３】
0005241258.tif 000013
【図１４】
0005241258.tif 000014
【図１５】
0005241258.tif 000015
【図１６】
0005241258.tif 000016
【図１７】
0005241258.tif 000017
【図１８】
0005241258.tif 000018
【図１９】
0005241258.tif 000019
【図２０】
0005241258.tif 000020
【図２１】
0005241258.tif 000021
【図２２】
0005241258.tif 000022
【図２３】
0005241258.tif 000023
【図１０】
0005241258.tif 000024